(57)【要約】【課題】空気を十分に光触媒に接触させることができ、長期間にわたって使用しても、脱臭及び殺菌を十分に行うことができるようにする。【解決手段】少なくともマイナスイオンを発生させるイオン発生部２７と、イオン発生部２７によって発生させられたマイナスイオンを含む空気を吸引し、光触媒に光を照射することによって、前記空気を脱臭し、殺菌する脱臭・殺菌部２６とを有する。イオン発生部２７によって発生させられたマイナスイオンを含む空気を吸引し、光触媒に光を照射することによって、空気を脱臭し、殺菌するので、空気を十分に光触媒に接触させることができる。したがって、脱臭及び殺菌を十分に行うことができる。【選択図】図１
2005312591.tif 000002
【特許請求の範囲】
【請求項１】
（ａ）少なくともマイナスイオンを発生させるイオン発生部と、
（ｂ）該イオン発生部によって発生させられたマイナスイオンを含む空気を吸引し、光触媒に光を照射することによって、前記空気を脱臭し、殺菌する脱臭・殺菌部とを有することを特徴とする空気処理装置。
【発明の詳細な説明】
【技術分野】
【０００１】
本発明は、空気処理装置に関するものである。
【背景技術】
【０００２】
従来、排気ガス等を脱臭したり、殺菌したりするために脱臭・殺菌装置が提供されていて、該脱臭・殺菌装置においては、光触媒が収容された反応器に、処理しようとする排気ガス、すなわち、被処理ガスを供給し、光触媒に光を照射して、被処理ガス中の有害物質、悪臭成分等を分解し、菌類等を不活化するようになっている。
【０００３】
この場合、前記光触媒に光が照射されると、光触媒が光励起させられ、伝導帯に電子が、価電子帯に正孔が発生させられる。そして、発生した電子及び正孔によって、被処理ガス中の有害物質、悪臭成分等が分解され、菌類等が不活化される（例えば、特許文献１参照。）。
【特許文献１】特公平２−９８５０号公報
【発明の開示】
【発明が解決しようとする課題】
【０００４】
しかしながら、前記従来の脱臭・殺菌装置においては、粉粒状又は板状に形成された光触媒間に被処理ガスを通過させる必要があるので、脱臭・殺菌装置を、例えば、扇風機、エアコン、空気清浄器、換気装置等のような送風装置に利用して、空気を脱臭したり、殺菌したりしようとすると、光触媒が空気の流れに対して抵抗になり、送風装置に大きな負荷が加わってしまう。
【０００５】
そこで、送風装置に加わる負荷を小さくしようとして、光触媒の間隔を広くすると、被処理ガスを十分に光触媒に接触させることができず、脱臭及び殺菌を十分に行うことができなくなってしまう。
【０００６】
また、脱臭・殺菌装置を長期間にわたって使用すると、有害物質、悪臭成分等の分解物質が光触媒の表面、すなわち、光触媒面に付着し、光触媒の機能を低下させてしまう。その結果、脱臭及び殺菌を十分に行うことができなくなってしまう。
【０００７】
本発明は、前記従来の脱臭・殺菌装置の問題点を解決して、空気を十分に光触媒に接触させることができ、長期間にわたって使用しても、脱臭及び殺菌を十分に行うことができる空気処理装置を提供することを目的とする。
【課題を解決するための手段】
【０００８】
そのために、本発明の空気処理装置においては、少なくともマイナスイオンを発生させるイオン発生部と、該イオン発生部によって発生させられたマイナスイオンを含む空気を吸引し、光触媒に光を照射することによって、前記空気を脱臭し、殺菌する脱臭・殺菌部とを有する。
【発明の効果】
【０００９】
本発明によれば、空気処理装置においては、少なくともマイナスイオンを発生させるイオン発生部と、該イオン発生部によって発生させられたマイナスイオンを含む空気を吸引し、光触媒に光を照射することによって、前記空気を脱臭し、殺菌する脱臭・殺菌部とを有する。
【００１０】
この場合、イオン発生部によって発生させられたマイナスイオンを含む空気を吸引し、光触媒に光を照射することによって、前記空気を脱臭し、殺菌するので、空気を十分に光触媒に接触させることができる。したがって、脱臭及び殺菌を十分に行うことができる。
【００１１】
また、長期間にわたって空気処理装置を使用しても、発生させられたマイナスイオンによって、有害物質、悪臭成分等の分解物質を除去することができるので、該分解物質が光触媒面に付着することがなくなり、光触媒の機能が低下することがなくなる。その結果、脱臭及び殺菌を一層十分に行うことができる。
【発明を実施するための最良の形態】
【００１２】
以下、本発明の実施の形態について図面を参照しながら詳細に説明する。
【００１３】
図１は本発明の第１の実施の形態における空気処理装置の縦断面図、図２は本発明の第１の実施の形態における空気処理装置の正面図、図３は本発明の第１の実施の形態における空気処理装置の横断面図、図４は本発明の第１の実施の形態におけるファンの断面図である。
【００１４】
図において、１１は筐（きょう）体であり、該筐体１１は、前壁１２、後壁１３、頂壁１４、底壁１５及び側壁１６、１７の各壁を備え、各壁によって閉鎖空間ｓｐが形成される。前記前壁１２に、下方から上方にかけて空気を吸い込むための吸込口１８、空気処理装置が稼動されているかどうかを表す表示部１９、操作部２１、微量のオゾンを発生させるためのプラズマ生成部２３、処理された空気を吹き出すための吹出口２２等が配設される。
【００１５】
また、前記筐体１１内には、加湿部２５、脱臭・殺菌部２６、イオン発生部２７等が配設され、前記脱臭・殺菌部２６と吹出口２２とはダクト２８によって接続され、該ダクト２８における吹出口２２の近傍に前記イオン発生部２７が配設される。
【００１６】
前記脱臭・殺菌部２６は、筐体１１内のほぼ中央に配設され、支持部材２９によって支持された駆動部としてのモータ３１、該モータ３１の出力軸ｓｈ１に取り付けられた送風装置としてのファン３２等を備える。本実施の形態においては、ファンとして、シロッコファンを使用するようになっているが、該シロッコファンに代えて、軸流ファン、ターボファン、翼形ファン、プレートファン、多翼ファン、ディスクファン等を使用することもできる。
【００１７】
該ファン３２は、ファンケース３４、該ファンケース３４内において回転自在に配設された羽根ユニット３５、発光体としての紫外線ＬＥＤ３６等を備える。前記ファンケース３４は、円形部３８、及び該円形部３８から上方に向けて接線方向に延びる吐出部３９を備え、前記円形部３８に円形の形状を有する吸引口４１が、吐出部３９に吐出口４２が形成される。そして、前記羽根ユニット３５は、円周方向において等ピッチで配設された複数の羽根４４、該各羽根４４を連結するとともに、所定の位置に保持する環状支持部４５等を備え、羽根ユニット３５内に円形の形状を有する空気室４６が、羽根ユニット３５とファンケース３４との間に環状の空気路４７が形成される。
【００１８】
ところで、前記羽根ユニット３５において、ファン３２によって吸引され、吐出される空気を脱臭し、殺菌することができるようになっている。そのために、各羽根４４及び環状支持部４５の表面に光触媒、本実施の形態においては、酸化チタンが被覆され、該酸化チタンによって光触媒面が形成される。また、前記酸化チタンを励起状態にするために、前記紫外線ＬＥＤ３６によって、光、本実施の形態においては、紫外線が光触媒面に照射される。そのために、前記紫外線ＬＥＤ３６は、吐出部３９の内面の所定の箇所に取り付けられる。なお、紫外線ＬＥＤ３６に代えて、紫外線灯、ブラックライト、水銀ランプ等を使用することができる。また、紫外線ＬＥＤ３６を円形部３８の内面に所定のピッチで複数配設することもできる。さらに、前記紫外線ＬＥＤ３６をファンケース３４における環状支持部４５より径方向内方の部分に取り付けることができる。
【００１９】
前記酸化チタンに紫外線が照射され、励起状態になると、前記光触媒面において酸化還元反応が起こり、電荷分解が行われ、電子が励起されて酸化チタンから飛び出し、酸化チタン内に正孔が発生させられる。そして、前記電子は酸素と結合してスーパーオキシドアニオンＯ2 - を生成し、正孔は水と結合して水酸基ラジカルＯＨを生成する。したがって、スーパーオキシドアニオンＯ2 - 、水酸基ラジカルＯＨ等の表面に接触した有害物質、悪臭成分等の分子を酸化還元反応によって分解することができ、菌類を不活化することができる。
【００２０】
また、前記酸化還元反応を十分に起こすためには、空気中の酸素及び水分を十分に光触媒面に供給する必要がある。そこで、前記加湿部２５に図示されない超音波発生器を配設し、該超音波発生器によって、タンク５０内の水を霧状にして前記閉鎖空間ｓｐに吐出し、閉鎖空間ｓｐ内の空気を加湿するようにしている。前記タンク５０内に水を補給するために、前記側壁１７の下部の所定の箇所に図示されない開閉扉が配設され、必要に応じて該開閉扉を開け、タンク５０を取り出して水を補給することができる。なお、超音波発生器に代えてヒータを使用し、該ヒータによって水を霧状にして前記閉鎖空間ｓｐに吐出することができる。
【００２１】
また、前記イオン発生部２７は、第１、第２のイオン発生器部５１、５２を備え、該第１、第２のイオン発生器部５１、５２は、それぞれ、ダクト２８の外周面に対向させて取り付けられた第１、第２の高電圧発生回路ＣＲ１、ＣＲ２、該第１、第２の高電圧発生回路ＣＲ１、ＣＲ２と接続され、前記吹出口２２の近傍において左右に並べて配設された針状の第１、第２のイオン電極５３、５４等を備える。
【００２２】
前記第１のイオン発生器部５１は、第１のイオンとしてのプラスイオンを発生させるために、第２のイオン発生器部５２は、第２のイオンとしてのマイナスイオンを発生させるために使用される。
【００２３】
次に、前記構成の空気処理装置の動作について説明する。
【００２４】
まず、操作者が操作部２１のスイッチを投入すると、筐体１１内の所定の箇所に配設された図示されない制御部の稼動処理手段は、稼動処理を行い、前記モータ３１を駆動し、ファン３２を作動させる。これに伴って、脱臭・殺菌部２６において、羽根ユニット３５が矢印Ａ方向に回転させられて吸引力が発生する。そして、吸込口１８を介して吸い込まれた空気は、閉鎖空間ｓｐに進入した後、吸引口４１を介して矢印Ｂ方向に吸引されて空気室４６に送られ、羽根ユニット３５によって空気路４７に排出された後、矢印Ｃ方向に流れ、吐出口４２を介してダクト２８に吐出される。このとき、前述されたように、酸化還元反応が行われ、空気が脱臭され、殺菌される。
【００２５】
この場合、ファンケース３４によって吸引され、吐出される空気のほとんどが各羽根４４及び環状支持部４５と接触するので、十分に酸化還元反応を起こすことができ、脱臭及び殺菌を十分に行うことができる。また、本実施の形態においては、各羽根４４及び環状支持部４５の表面に酸化チタンが被覆されていて、粉粒状又は板状に形成された光触媒間に空気を通過させる必要がない。したがって、ファン３２に加わる負荷を小さくすることができる。
【００２６】
また、前記制御部の脱臭・殺菌処理手段は、脱臭・殺菌処理を行い、モータ３１及び超音波発生器に供給される電流を調整し、前記酸化還元反応を調整する。
【００２７】
このようにして、前記脱臭・殺菌部２６において、脱臭及び殺菌が行われた空気は、吐出口４２を介して吐出された後、ダクト２８を通り、イオン発生部２７に送られ、該イオン発生部２７において発生したプラスイオン及びマイナスイオンによって一層殺菌が行われ、プラスイオン及びマイナスイオンを含んだ状態で吹出口２２を介して吹き出される。さらに、プラスイオン及びマイナスイオンの発生に伴ってわずかな量のオゾンが発生するので、該オゾンによる殺菌効果を利用することができる。
【００２８】
そして、第１、第２のイオン発生器部５１、５２によって、プラスイオンとマイナスイオンとの比で表されるイオンバランスが調整され、イオンバランスの良好な空気が吹出口２２から吹き出されるので、人体のイオンバランスを調整し、細胞を活性化したり、自然治癒力を高くしたりすることができる。本実施の形態においては、プラスイオンの発生量を１としたとき、マイナスイオンの発生量は１．３にされる。
【００２９】
そして、本実施の形態においては、前述されたように、加湿部２５が配設され、加湿部２５によって加湿された空気が脱臭・殺菌部２６を介してイオン発生部２７に供給されるので、イオン発生部２７を湿度の高い状態に維持することができる。したがって、プラスイオン及びマイナスイオンを円滑に発生させることができる。
【００３０】
ところで、脱臭・殺菌部２６を長期間にわたって使用するのに伴って、有害物質、悪臭成分等の分解物質が光触媒面に付着すると、酸化チタンによる酸化還元反応の機能を低下させてしまい、脱臭・殺菌部２６において、脱臭及び殺菌を十分に行うことができなくなってしまう。
【００３１】
ところが、本実施の形態においては、吹出口２２を介して吹き出されたプラスイオン及びマイナスイオンを含んだ空気が、吸込口１８を介して閉鎖空間ｓｐに進入した後、羽根ユニット３５によって吸引されるので、プラスイオン及びマイナスイオンによって、光触媒面に付着した分解物質を除去することができる。したがって、長期間にわたって脱臭・殺菌部２６を使用しても、該分解物質が光接触面に付着することがなくなり、光触媒の機能が低下することがなくなるので、脱臭及び殺菌を一層十分に行うことができる。
【００３２】
なお、前記モータ３１の出力軸ｓｈ１は、ファン３２が取り付けられた側と反対側、すなわち、表示部１９側にも延び、前端（図１において左端）に出力軸ｓｈ１に対して偏心させて反射部材５６が配設され、該反射部材５６の前端面（図１において左端面）に形成された反射面には微細パターンが同心状に、又は螺（ら）旋状に形成される。
【００３３】
本実施の形態において、前記反射面の微細パターンは、光に対する性質が周期的に変化するように周期的に形成されるので、反射面に光を照射すると、光が回折する。したがって、白色光を反射面に向けて照射すると、光の波長によって回折する角度が異なるので、光が虹色に分光させられる。本実施の形態においては、空気処理装置が稼動され、モータ３１が駆動されるのに伴って反射部材５６が回転させられると、光が虹色に分光させられる箇所が回転に伴って変化するので、前記表示部１９によって筐体１１が稼動されるているかどうかを容易に認識することができる。
【００３４】
また、前記プラズマ生成部２３においては、ガラス製の球体内に高電圧を印加するようになっていて、高電圧が印加されるのに伴って、球体内の気体が電離させられ、プラズマを生成するようになっている。このとき、わずかな量のオゾンが発生させられるので、該オゾンによる殺菌効果を利用することができる。また、プラズマが生成された状態で気体は導体になり、電気を通すようになるので、電気が流れるときに、気体の分子、イオン等に電子が当たり、気体特有の光を発生させる。したがって、プラズマ生成部２３を装飾用として利用することもできる。
【００３５】
次に、前記構成の空気処理装置の制御回路について説明する。
【００３６】
図５は本発明の第１の実施の形態における空気処理装置の制御回路図、図６は本発明の第１の実施の形態における第１のイオン発生回路、図７は本発明の第１の実施の形態における第２のイオン発生回路である。
【００３７】
図において、５７は１００〔Ｖ〕の交流電源入力、５８は妨害電波を除去するためのフィルター回路、５９は１００〔Ｖ〕の交流電圧を１２〔Ｖ〕及び５〔Ｖ〕の直流電圧に変換するＡＣ／ＤＣ変換器、６１は制御部である。前記フィルター回路５８には、ＡＣ／ＤＣ変換器５９と並列に、制御部６１を介してモータ３１（図１）が接続される。なお、前記ＡＣ／ＤＣ変換器５９と制御部６１とは１２〔Ｖ〕用、５〔Ｖ〕用及び接地用の３本のラインＬ１〜Ｌ３で接続される。
【００３８】
また、制御部６１は、ピンコネクタＣＮを介して操作部２１と接続されるとともに、発光器部６２及び第１、第２のイオン発生器部５１、５２と接続される。そして、前記発光器部６２に紫外線ＬＥＤ３６が接続される。
【００３９】
本実施の形態においては、第１、第２のイオン発生器部５１、５２によってそれぞれ発生させられるプラスイオン及びマイナスイオンの量を任意に設定することができるようになっている。そのために、第１の高電圧発生回路ＣＲ１に接続されるラインＬ４に、抵抗Ｒａ及び可変抵抗Ｒｂの分圧回路から成るレギュレータ６４が接続され、第２の高電圧発生回路ＣＲ２に接続されるラインＬ６に、抵抗Ｒｃ及び可変抵抗Ｒｄの分圧回路から成るレギュレータ６５が接続される。なお、ラインＬ５、Ｌ７は接地用のラインである。そして、各レギュレータ６４、６５において、可変抵抗Ｒｂ、Ｒｄを調整することによって、第１、第２のイオン発生器部５１、５２に印加される電圧Ｖ１、Ｖ２を変更すると、電圧Ｖ１、Ｖ２に比例する量のプラスイオン及びマイナスイオンを発生させることができる。
【００４０】
次に、第１、第２の高電圧発生回路ＣＲ１、ＣＲ２について説明する。
【００４１】
第１の高電圧発生回路ＣＲ１は、端子ｔ１〜ｔ３を備え、端子ｔ１はラインＬ４と、端子ｔ２はラインＬ５と、端子ｔ３は第１のイオン電極５３と接続され、前記端子ｔ１、ｔ２と端子ｔ３との間にトランスＴ１が配設される。
【００４２】
そして、該トランスＴ１の一次側において、端子ｔ１、ｔ２間にトランジスタＴＲ１及び巻線ｍ２が直列に接続され、トランジスタＴＲ１及び巻線ｍ２と並列にコンデンサＣ１が接続され、高周波発振回路が形成される。また、前記端子ｔ１とトランジスタＴＲ１のベースとの間に、抵抗Ｒ１及び巻線ｍ１が直列に接続される。
【００４３】
そして、前記トランスＴ１の二次側において、巻線ｍ３とコンデンサＣ２及びダイオードＤ１とが直列に接続され、ダイオードＤ１に対してコンデンサＣ３及びダイオードＤ２が並列に接続され、ダイオードＤ２に対してコンデンサＣ４及びダイオードＤ３が並列に接続され、ダイオードＤ３に対してコンデンサＣ５及びダイオードＤ４が並列に接続され、コンデンサＣ５とダイオードＤ４との間に端子ｔ３が接続され、倍電圧整流回路が形成される。
【００４４】
したがって、トランスＴ１の一次側において、コンデンサＣ１の充放電に伴ってトランジスタＴＲ１がスイッチングされると、高周波発振回路が高周波発振を行い、トランスＴ１の二次側において、倍電圧整流回路によって高周波の電圧が高くされ、端子ｔ３に高周波の高電圧が発生させられる。その結果、第１のイオン電極５３にプラスイオンが発生させられる。
【００４５】
同様に、第２の高電圧発生回路ＣＲ２は、端子ｔ１１〜ｔ１３を備え、端子ｔ１１はラインＬ６と、端子ｔ１２はラインＬ７と、端子ｔ１３は第２のイオン電極５４と接続され、前記端子ｔ１１、ｔ１２と端子ｔ１３との間にトランスＴ１１が配設される。
【００４６】
そして、該トランスＴ１１の一次側において、端子ｔ１１、ｔ１２間にトランジスタＴＲ１１及び巻線ｍ１２が直列に接続され、トランジスタＴＲ１１及び巻線ｍ１２と並列にコンデンサＣ１１が接続され、高周波発振回路が形成される。また、前記端子ｔ１１とトランジスタＴＲ１１のベースとの間に、抵抗Ｒ１１及び巻線ｍ１１が直列に接続される。
【００４７】
そして、前記トランスＴ１１の二次側において、巻線ｍ１３とコンデンサＣ１２及びダイオードＤ１１とが直列に接続され、ダイオードＤ１１に対してコンデンサＣ１３及びダイオードＤ１２が並列に接続され、ダイオードＤ１２に対してコンデンサＣ１４及びダイオードＤ１３が並列に接続され、ダイオードＤ１３に対してコンデンサＣ１５及びダイオードＤ１４が並列に接続され、コンデンサＣ１５とダイオードＤ１４との間に端子ｔ１３が接続され、倍電圧整流回路が形成される。
【００４８】
したがって、トランスＴ１１の一次側において、コンデンサＣ１１の充放電に伴ってトランジスタＴＲ１１がスイッチングされると、高周波発振回路が高周波発振を行い、トランスＴ１１の二次側において、倍電圧整流回路によって高周波の電圧が高くされ、端子ｔ１３に高周波の高電圧が発生させられる。その結果、第２のイオン電極５４にマイナスイオンが発生させられる。
【００４９】
なお、前記第１、第２の高電圧発生回路ＣＲ１、ＣＲ２において、巻線ｍ１〜ｍ３と巻線ｍ１１〜ｍ１３とは巻方向が逆にされ、各ダイオードＤ１〜Ｄ４とダイオードＤ１１〜Ｄ１４とは接続方向が逆にされる。
【００５０】
前記構成の空気処理装置においては、操作者が操作部２１のスイッチを投入すると、前記稼動処理手段は、稼動処理を行い、モータ（Ｍ）３１を駆動し、ファン３２を作動させる。また、前記第１、第２の高電圧発生回路ＣＲ１、ＣＲ２に所定の電圧Ｖ１、Ｖ２が印加され、第１、第２のイオン発生器部５１、５２において、前記電圧Ｖ１、Ｖ２に対応する量のプラスイオン及びマイナスイオンが発生させられる。
【００５１】
次に、本発明の第２の実施の形態について説明する。なお、第１の実施の形態と同じ構造を有するものについては、同じ符号を付与することによってその説明を省略し、同じ構造を有することによる発明の効果については同実施の形態の効果を援用する。
【００５２】
図８は本発明の第２の実施の形態における空気処理装置の縦断面図である。
【００５３】
この場合、第１、第２のイオン電極５３（図３）、５４は、吸引口４１に臨ませて、支持部６３に載置させて配設される。したがって、第１、第２のイオン電極５３、５４から放散されたプラスイオン及びマイナスイオンは、吸引される空気と共に直接送風装置としてのファン３２内に進入し、羽根４４（図４）及び環状支持部４５と接触するので、光触媒面に付着した分解物質を確実に除去することができる。その結果、脱臭及び殺菌を一層十分に行うことができる。
【００５４】
次に、本発明の第３の実施の形態について説明する。なお、第１の実施の形態と同じ構造を有するものについては、同じ符号を付与することによってその説明を省略し、同じ構造を有することによる発明の効果については同実施の形態の効果を援用する。
【００５５】
図９は本発明の第３の実施の形態における空気処理装置の縦断面図である。
【００５６】
この場合、空気の流れ方向における第１、第２のイオン電極５３（図３）、５４より下流側と、吸引口４１との間に空気還流路６６が形成され、該空気還流路６６の一端に、第１、第２のイオン電極５３、５４と対向させて空気入口６７が、空気還流路６６の他端に、前記吸引口４１と対向させて空気出口６８が形成される。
【００５７】
したがって、第１、第２のイオン電極５３、５４から放散されたプラスイオン及びマイナスイオンは、一部の空気と共に空気還流路６６を介して送風装置としてのファン３２によって吸引されてファン３２内に進入し、羽根４４（図４）及び環状支持部４５と接触するので、光触媒面に付着した分解物質を確実に除去することができる。その結果、脱臭及び殺菌を一層十分に行うことができる。
【００５８】
なお、本発明は前記実施の形態に限定されるものではなく、本発明の趣旨に基づいて種々変形させることが可能であり、それらを本発明の範囲から排除するものではない。
【図面の簡単な説明】
【００５９】
【図１】本発明の第１の実施の形態における空気処理装置の縦断面図である。
【図２】本発明の第１の実施の形態における空気処理装置の正面図である。
【図３】本発明の第１の実施の形態における空気処理装置の横断面図である。
【図４】本発明の第１の実施の形態におけるファンの断面図である。
【図５】本発明の第１の実施の形態における空気処理装置の制御回路図である。
【図６】本発明の第１の実施の形態における第１のイオン発生回路である。
【図７】本発明の第１の実施の形態における第２のイオン発生回路である。
【図８】本発明の第２の実施の形態における空気処理装置の縦断面図である。
【図９】本発明の第３の実施の形態における空気処理装置の縦断面図である。
【符号の説明】
【００６０】
２６    脱臭・殺菌部
２７    イオン発生部
【図１】
2005312591.tif 000003
【図２】
2005312591.tif 000004
【図３】
2005312591.tif 000005
【図４】
2005312591.tif 000006
【図５】
2005312591.tif 000007
【図６】
2005312591.tif 000008
【図７】
2005312591.tif 000009
【図８】
2005312591.tif 000010
【図９】
2005312591.tif 000011